(57)【要約】【課題】軽量且つコンパクトで取扱いやすく、低騒音でメンテナンスが容易なダクト用換気扇を提供することを課題とする。【解決手段】発泡樹脂製箱型ハウジング１と、その内天面に取り付けられるファン７及びこれを駆動するモーター６とから成り、ハウジング１は、２つ割りした形状の２部品を接合して形成され、モーター６は、その出力軸側軸受部を嵌合する円孔を形成した支持面１６と、支持面１６の両端を折曲して形成した側板１７と、側板１７の端部を外方に折曲して形成した固定部１８とから成るモーター押え１２によってハウジング１の内天面に取り付けられ、モーター押え１２は、その固定部１８とハウジング１の外側上面に配置された受け板２１とがハウジング１の上面を挟持するようにネジ止めされることによって固定されてモーター６を支持し、ハウジング１のネジ止め用ネジが挿通される部分には円筒状スペーサ２３が嵌装される。【選択図】図２
2008224129.tif 000002
【特許請求の範囲】
【請求項１】
金属製又は樹脂製の底板を取り外し可能に取り付けたポリスチレン等の発泡樹脂製箱型であって、３周側面にそれぞれ吸気用ダクト接続口を２つずつ並設し、残りの周側面に前記吸気用ダクト接続口よりも広径の排気用ダクト接続口を１つ突設すると共に制御基板を取り付けたハウジングと、前記ハウジングの内天面に取り付けられるファン及びこれを駆動するモーターとから成るダクト用換気扇であって、
前記ハウジングは、前記吸気用ダクト接続口と前記排気用ダクト接続口を含めて２つ割りした形状の２部品を接合して形成され、
前記モーターは、前記モーターの出力軸側軸受部を嵌合する円孔を形成した支持面と、前記支持面の両端を折曲して形成した側板と、前記側板の端部を外方に折曲して形成した固定部とから成るモーター押えによって前記ハウジングの内天面に取り付けられ、
前記モーター押えは、その前記固定部と前記ハウジングの外側上面に配置された受け板とが前記ハウジングの上面を挟持するようにネジ止めされることによって前記ハウジングの内天面に固定されて前記モーターを支持し、
前記ハウジングの前記ネジ止め用ネジが挿通される部分には円筒状スペーサが嵌装されることを特徴とするダクト用換気扇。
【請求項２】
前記モーター押えの側板に、前記モーターのケースの一部を逃がすための逃げ開口を設けた請求項１に記載のダクト用換気扇。
【発明の詳細な説明】
【技術分野】
【０００１】
本発明はダクト用換気扇、より詳細には、室の天井裏や床面下に設置され、天井裏等に配設されるダクトを接続することによって、室内の汚れた空気を吸入排出するダクト用換気扇であって、ファン及びモーターを収納するハウジングが発泡樹脂製であるダクト用換気扇に関するものである。
【背景技術】
【０００２】
高気密、高断熱化が進む昨今の住宅においては、室内汚染空気の排出のために、所謂２４時間換気システムが採用されることが多くなってきている。このシステムにおいては、ダクト用換気扇（排気ファン）の作用で、室内の汚染空気が排出されるに伴い、外気が緩やかに導入される。
【０００３】
現在におけるダクト用換気扇は、ハウジング内にモーターを設け、それによりファンを２４時間連続運転させるものであるので、長期の使用に当たり、モーターの維持管理のしやすいもの、且つ、天井に設置することも考えて、できるだけコンパクトであることが求められ、更には、ダクト用換気扇の心臓部となるモーター駆動を安定させるため、モーターがハウジングに完全固定されたものが求められている。
【０００４】
維持管理のしやすさという要請に応えるものとして、特公平５−７１８４８号公報に記載のものが提唱されている。それは、前面を開口したボックスに、該開口を開閉可能に閉塞する蓋体を取り付け、該蓋体に、モーターとファンとファンを囲むケーシングを設置して成る。この場合、蓋体を開けることによってモーター、ファン及びケーシングが一緒に取り出されるので、メンテナンスが容易となるとされている。
【０００５】
通例、これらのダクト用換気扇は吊設によって設置されるが、金属部分が多いためにかなりの重量となり、施工性がよくない。
【０００６】
そこで、全体を軽量化するために、ハウジングを発泡樹脂製とすることが考えられる。図６はその構成例を示すもので、ハウジング３０は発泡樹脂製で、上下に二分割され（図６では上側部分のみが示されている。）、ハウジング３０の上側部分の内天面にモーター３１が取り付けられる。
【０００７】
このモーター３１は、ハウジング３０の内天面に設けたモーター設置部３２に、モーター押え３４を介して設置される。モーター設置部３２の中央部には、モーター３１の端面突出部を収める凹陥部３３が形成される。モーター押え３４は、モーター３１の出力軸側に飛び出る軸受部を嵌合する円孔３５を形成した支持面３６と、支持面３６の両端を直角に折曲して形成した側板３７と、各側板３７の端部を外側に折曲して形成した固定部３８とから成っていて、全体的には倒コ字形状を呈する。
【０００８】
固定部３８にはネジ穴３９が、通例２個開けられており、また、モーター設置部３２の四隅にも、ネジ穴３９に対応するネジ穴４０が貫設されている。モーター３１の取り付けに際しては、モーター３１の出力軸側軸受部を円孔３５に嵌合した状態でモーター押え３４をモーター設置部３２内に収め、モーター３１の端部突出部を凹陥部３３内に嵌合する。この状態においてネジ穴３９とネジ孔４０とが合致するので、ハウジング１の上面からワッシャ４１を介してネジ４２を、ネジ穴３９、４０にねじ込むことにより、モーター押え３４及びモーター３１がハウジング３０の内天面に固定される。
【０００９】
ところで、上記固定方法によった場合、ネジ４２の締め込みが強すぎると、ハウジング３０が発泡樹脂製であるところから、その固定部３８の当接部及びワッシャ３１の当接部が凹圧縮変形するおそれがある。例えば、片側の固定部３８との当接部が凹圧縮変形した場合は、モーター押え３４が傾き、その側板３７がモーター３１のケース側面に接触し（図７（Ｂ）参照）、両側の固定部３８との当接部が凹圧縮変形した場合は、モーター押え３４の支持面３６がモーター３１の出力軸側軸受部に接触する（図７（Ｃ）参照）。その結果、周囲に振動が伝達されて、異音が発生するという問題が生ずる。
【００１０】
【特許文献１】特公平５−７１８４８号公報
【特許文献２】特許第２７０７８０２号公報
【発明の開示】
【発明が解決しようとする課題】
【００１１】
上述したように、従来のダクト用換気扇は、モーター設置のためにモーター押えをネジ止めする際に、発泡樹脂製のハウジングが凹圧縮変形を起こし、その結果モーターとモーター押えとが接触して異音を発するおそれがあったので、本発明はそのような問題のない、即ち、モーター押えをネジ止めする際に締め過ぎによってハウジングが凹圧縮変形を起こさないために、モーターとモーター押えとが接触して異音を発するおそれがなく、モーター駆動の安定性を維持し、しかも、軽量且つコンパクトで取扱いやすく、低騒音でメンテナンスが容易なダクト用換気扇を提供することを課題とする。
【課題を解決するための手段】
【００１２】
上記課題を解決するための請求項１に記載の発明は、金属製又は樹脂製の底板を取り外し可能に取り付けたポリスチレン等の発泡樹脂製箱型であって、３周側面にそれぞれ吸気用ダクト接続口を２つずつ並設し、残りの周側面に前記吸気用ダクト接続口よりも広径の排気用ダクト接続口を１つ突設すると共に制御基板を取り付けたハウジングと、前記ハウジングの内天面に取り付けられるファン及びこれを駆動するモーターとから成るダクト用換気扇であって、前記ハウジングは、前記吸気用ダクト接続口と前記排気用ダクト接続口を含めて２つ割りした形状の２部品を接合して形成され、前記モーターは、前記モーターの出力軸側軸受部を嵌合する円孔を形成した支持面と、前記支持面の両端を折曲して形成した側板と、前記側板の端部を外方に折曲して形成した固定部とから成るモーター押えによって前記ハウジングの内天面に取り付けられ、前記モーター押えは、その前記固定部と前記ハウジングの外側上面に配置された受け板とが前記ハウジングの上面を挟持するようにネジ止めされることによって前記ハウジングの内天面に固定されて前記モーターを支持し、前記ハウジングの前記ネジ止め用ネジが挿通される部分には円筒状スペーサが嵌装されることを特徴とするダクト用換気扇である。
【００１３】
好ましくは、前記モーター押えの側板に、前記モーターのケースの一部を逃がすための逃げ開口を設ける。
【発明の効果】
【００１４】
本発明に係るダクト用換気扇は上記のとおりであって、ハウジングにネジ挿通用の円筒状スペーサが嵌装されるため、それに規制されてモーターの取り付けに際してネジを過剰に締め付けることがなく、且つ、ハウジングに対するネジの締付力は、それに広く面接触する受け板を介して伝わるので、ハウジングが凹圧縮変形を起こすおそれがなく、以て、凹圧縮変形に起因する異音の発生がなく、ハウジングが発泡樹脂体であることと相俟って、別に防音材を配備することなく、低騒音で運転することができるという効果がある。
【発明を実施するための最良の形態】
【００１５】
本発明を実施するための最良の形態について、添付図面に依拠して説明する。本発明に係るダクト用換気扇は、無底のハウジング１、その内天面に固定されるモーター６及びファン７、そのモーター６をハウジング１に完全固定させるためのモーター押え１２、ファン７を囲むようにハウジング１の内面に一体成形されるケーシング９、並びに、ハウジング１の底面開口に脱着可能に取り付けられる底板５とから成る。
【００１６】
ハウジング１は、ポリスチレン等の発泡樹脂によって底面を欠く箱型に成形され、その３周側面にそれぞれ、２つの吸気用ダクト接続口２が突設される。また、残りの周側面には、吸気用ダクト接続口２よりも口径の大きい排気用ダクト接続口３が１つ突設され、その横に制御基板４が取り付けられる。天井に設けられる点検口２７は、通例４５ｃｍ四方であるので、ハウジング１（底板５）はそれ以下のサイズとすることが好ましい（図５参照）。このように、ハウジング１は発泡樹脂製であるため、別途防音材を配設することなく、低騒音にての運転が可能となる。
【００１７】
このハウジング１は、吸気用ダクト接続口２と排気用ダクト接続口３を含め、２つ割りした形状のもの（１ａ、１ｂ）を別個に成形し、両者を接着等により接合することにより形成される。上側ハウジング１ａの内天面には、モーター６及びモーター６を支持するモーター押え１２を取り付けるための、囲壁９ａを有するモーター設置部９が形成される（図２参照）。モーター設置部９は、通例、モーター押え１２に対応する大きさの四角形とされる。モーター設置部９の中央部には、モーター６の端面突出部１１を収めるための凹陥部１３が形成され、また、その四隅にネジ穴１４が貫設される。
【００１８】
モーター押え１２は、モーター６の出力軸側に飛び出る軸受部を嵌合する円孔１５を形成した支持面１６と、支持面１６の両側を直角に折曲して形成した側板１７と、各側板１７の端部を外側に折曲して形成した固定部１８とから成っていて、全体的には倒コ字形状を呈する。固定部１８には、ネジ穴１４に対応するネジ穴１９が開けられる。
【００１９】
このモーター押え１２によってモーター６を取り付けるに当っては、モーター６の出力軸側軸受部（図２において下面側）を円孔１５に嵌合した状態でモーター押え１２をモーター設置部９内に収め、モーター６の端部突出部（図２において上面側）を凹陥部１３内に嵌合する。この状態において各ネジ穴１９と各ネジ孔１４とが合致する。
【００２０】
また、上側ハウジング１ａの上面には、四隅にネジ穴１４、１９に対応するネジ穴２２を開けた金属製、硬質プラスチック製又は木製の受け板２１が定置される。そして更に、上側ハウジング１ａのネジ孔１４に、ポリアセタール樹脂等の樹脂製又は金属製の円筒状等のスペーサ２３が嵌装される。このスペーサ２３は、上側ハウジング１ａの厚みに対応する長さとされる。
【００２１】
そこで、受け板２１のネジ穴２２にネジ込んだ固定ネジ２４を、ワッシャ２５を介してスペーサ２３に挿通し、モーター設置部９に収まっているモーター押え１２の固定部１８のネジ穴１９にネジ込む。かくして、上側ハウジング１ａの天面が受け板２１と固定部１８によって広い面接触状態にて挟持されることにより、モーター押え１２が上側ハウジング１ａの内天面に固定され、モーター押え１２に支持されることによってモーター６が上側ハウジング１ａに取り付けられる。
【００２２】
この固定ネジ２４の締め込みに際しては、上側ハウジング１ａのネジ穴１４にスペーサ２３が嵌装されているため、上側ハウジング１ａは、スペーサ２３の長さ以下となるまで締め付けられることはない。従って、上側ハウジング１ａに過剰な締付力が加わって凹圧縮変形が起こるおそれはなく、部分的な凹圧縮変形が生ずることによって、モーター６のケース等がモーター押え１２に接触して異音を発することが確実に回避される。
【００２３】
また、モーター押え１２の側板１７には、通例その全高に亘ってモーター６のケースの一部を逃がすための逃げ開口２６が形成される。かくして、モーター６のケースの一部が側板１７に接触する状態となっても、該ケース部分はこの逃げ開口２６に逃げるために側板１７との接触が回避され、接触による異音の発生が防止される。
【００２４】
ケーシング８は、ファン７から送り出される空気の流路を構成するもので、２つ割りしたハウジング１の、下側ハウジング１ｂに一体成形することができる（図４参照）。ハウジング１の底面開口には、金属製又は樹脂製の底板５が、例えばネジを介して取外し可能に設置される。あるいは、その一側辺をハウジング１の側面にヒンジ止めして開閉できるようにしてもよい。
【００２５】
ファン７としては、吸気量を高めるために、上下（両側）から吸気できるタイプのものを用いることが好ましい。そして、その場合、ファン７のドーナツ状基板７ａに複数の小孔７ｂが穿設される（図１参照）。
【００２６】
上記両側吸気式のファン７を用いる場合、吸入した空気をファン７の上下に導くために、ファン７の上面、より詳細には、ファン７をカバーするケーシング８の上面とハウジング１の内天面との間に通気空間を保持すると共に、底板５を、上面５ａと下面５ｂを、支持金具５ｃを介して適宜間隔を保持して通気空間を設けた中空のものとする（図１参照）。
【００２７】
底板５の上面５ａは下面５ｂよりも小さく形成し、上面５ａとハウジング１の内側面との間に隙間ができるようにする。それにより、ハウジング１内に導入された汚れた空気が、その隙間から上面５ａと下面５ｂとの間の通気空間に流れ込み、上面５ａに形成される通気口５ｄからファン７に吸い上げられる。
【００２８】
更に、吸気用ダクト接続口２から吸引した汚れた空気をケーシング８の上側の通気空間と、底板５の上下面５ａ、５ｂ間の通気空間とに導入するための通気間隙２９が必要となるが、それは、ハウジング１を四角形状とし、ケーシング８をこれに内接する円形状とすることにより、ハウジング１の隅部に形成することができる（図１、図４参照）。なお、ハウジング１の１個所の隅部は、ケーシング８の排気用ダクト接続口３への排気口８ｃとなるため、閉塞される（図４参照）。このように、ケーシング８をハウジング１に内接するように形成することで、全体をコンパクトにすることができる。
【００２９】
底板５の上面５ａの、ケーシング８の下面８ｂを受ける部分には、そこをエアシールするシール材１０を定着することが好ましい（図１参照）。
【００３０】
本ダクト用換気扇は、ハウジング１の上面に設置された固定用金具に天吊りボルト２８を固定することによって吊るし（図５参照）、あるいは、固定用金具を梁、根太、下地材等にネジ止めして設置する。
【００３１】
なお、ファン７の中心となるモーター６の軸から各吸気用ダクト接続口２までの距離がそれぞれ等しければ、各吸気用ダクト接続口２における吸引力も等しくなるので問題はないが、その距離にバラつきがあることが多い。その場合は、モーター６の軸からの距離が近いもの程、その通気面積を狭くして、即ち、口径を狭くしたり、堰を設けたりして通気量を制限し、以て、各吸気用ダクト接続口２における吸気バランスを調整して吸引力の均等化を図ることが好ましい。また、それと同時に、あるいは、それに代えて、上記通気間隙２９の内、モーター６の軸に近いもの程、その通気面積を狭くすることもある。
【００３２】
本発明に係るダクト用換気扇は、従来のものと同様にして用いる。即ち、点検口１５を設けた部分の天井裏に配置して（図５参照）、外壁から延びる排気用ダクトの端部を排気用ダクト接続口３に嵌め付け、また、各室から延びる吸気用ダクトの端部を、それぞれいずれかの吸気用ダクト２に嵌め付ける。
【００３３】
かくしてモーター６のスイッチを入れると、ファン７の作用で各室の汚れた空気が吸い出され、吸気用ダクトを通ってハウジング１内に吸い込まれる。吸い込まれた空気の一部は、ケーシング８の上側の通気空間に入り、そこからケーシング８の上面開口８ａを通ってファン７の上側に吸入され、また、その一部は、底板上面５ａの周囲の隙間を通ってその下の通気空間に吸い込まれ、底板上面５ａの通気口５ｄからファン７の下側に吸い上げられる。
【００３４】
ファン７の内側に吸入された空気は、ファン７の内部において、小孔７ｂを通って適宜上方に又は下方に移動する。そして、ファン７の内側からケーシング８に沿って排気口８ｃから排気用ダクト接続口３に導かれ、排気用ダクトを介して、外壁に設置される排気グリルより大気に放出される。
【００３５】
本発明に係るダクト用換気扇においては、ハウジング１及びケーシング８がポリスチレン等の発泡樹脂により一体成形され、ファン７も樹脂成形されるため、量産に適し且つ比較的廉価にて供給でき、軽量で取扱いやすく、しかもハウジング１自体が樹脂発泡体であるので、別に防音材を取り付ける必要がなく、また、モーター６とモーター押え１２が接触して異音を発するおそれがなく、低騒音での運転が可能であるという大きなメリットがある。
【００３６】
ファン７の掃除、メンテナンスに際しては、点検口２７を開け、ネジを外して底板５を取り外す。それによりファン７が露出するので、固定ナット７ｃを外してファン７を取り外すことができる（図１参照）。かくして、ファン７及びハウジング１内の掃除を行うことができ、同様にしてメンテナンスも容易に行うことができる。
【００３７】
このように、本発明に係るダクト用換気扇においては、ファン７として両側吸込式タイプのものが用いられ、且つ、吸入された空気はドーナツ状基板７ａの小孔７ｂを通して自由に移動するため、十分な吸気量、換言すれば排気量が得られ、効率（消費電力あたりの排気量）のよいものとなる。
【００３８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３９】
【図１】本発明に係るダクト用換気扇の分解斜視図である。
【図２】本発明に係るダクト用換気扇の上半部の分解斜視図である。
【図３】本発明に係るダクト用換気扇の平面図である。
【図４】本発明に係るダクト用換気扇の下半部の斜視図である。
【図５】本発明に係るダクト用換気扇の設置状態図である。
【図６】従来のダクト用換気扇の上半部の分解斜視図である。
【図７】従来のダクト用換気扇の問題点を示す図である。
【符号の説明】
【００４０】
１      ハウジング
１ａ    上側ハウジング
１ｂ    下側ハウジング
２      吸気用ダクト接続口
３      排気用ダクト接続口
４      制御基板
５      底板
５ａ    上面
５ｂ    下面
５ｃ    支持金具
５ｄ    通気口
６      モーター
７      ファン
７ａ    ドーナツ状基板
７ｂ    小孔
８      ケーシング
８ａ    上面開口
８ｂ    ケーシング下面
８ｃ    排気口
９      モーター設置部
１０      シール材
１２      モーター押え
１３      凹陥部
１４      ネジ穴
１５      円孔
１６      支持面
１７      側板
１８      固定部
１９      ネジ穴
２１      受け板
２３      スペーサ
２４      固定ネジ
２５      ワッシャ
２６      逃げ開口
２７      点検口
２８      天吊りボルト
２９      通気間隙
【図１】
2008224129.tif 000003
【図２】
2008224129.tif 000004
【図３】
2008224129.tif 000005
【図４】
2008224129.tif 000006
【図５】
2008224129.tif 000007
【図６】
2008224129.tif 000008
【図７】
2008224129.tif 000009